(57)【要約】      （修正有）【課題】使用者がどのような服を着ていても装着可能で、使用者の邪魔にならず、使用者の安全を確保できる衣服下送風装置を提供する。【解決手段】衣服３に覆われた状態で衣服３下に送風するための衣服下送風装置１０であって、電動送風機と、外気を吸い込むための吸込口、外気を吐出するための吐出口及び衣服３下に装着するための装着手段を有する送風ケーシングと、を有し、送風ケーシングは、衣服３を保持することによって少なくとも吸込口の一部の閉塞を防止する衣服保持手段を備える。【選択図】図１
0003199143.tif 000002
【実用新案登録請求の範囲】
【請求項１】
衣服に覆われた状態で該衣服下に送風するための衣服下送風装置であって、電動送風機と、外気を吸い込むための吸込口、前記外気を吐出するための吐出口及び衣服下に装着するための装着手段を有する送風ケーシングと、を有し
前記送風ケーシングは、前記衣服を保持することによって少なくとも前記吸込口の一部の閉塞を防止する衣服保持手段を備えることを特徴とする衣服下送風装置。
【請求項２】
前記衣服保持手段は、前記送風ケーシングの周方向に離間して少なくとも２個配設されることを特徴とする請求項１に記載の衣服下送風装置。
【請求項３】
前記衣服保持手段は、フック状部材からなることを特徴とする請求項１または２に記載の衣服下送風装置。
【請求項４】
前記衣服保持手段は、帯状部材及び該帯状部材を保持する永久磁石からなることを特徴とする請求項１または２に記載の衣服下送風装置。
【請求項５】
前記衣服保持手段は、前記送風ケーシングから着脱可能に配設されることを特徴とする請求項１ないし４のいずれかに記載の衣服下送風装置。
【考案の詳細な説明】
【技術分野】
【０００１】
本考案は、衣服に覆われた状態で該衣服下に送風するための衣服下送風装置に関する。
【背景技術】
【０００２】
衣服の下に装着した電動送風機によって衣服の下に涼風を送るための着衣内涼風装置が知られている（例えば、特許文献１参照）。
【０００３】
たとえば、特許文献１の着衣内涼風装置は、モータ駆動のファンと、該ファンの周囲を覆う羽車室、ファンの吸込口に接続され任意の長さ及び角度で位置調整可能な蛇腹部、ファンから送り出された風を吐き出すための吐出口及び衣服下に装着するための本体装着部と、を備えることで、ファンを衣服下に装着した状態で、任意の長さ及び角度で位置調整可能な蛇腹部を衣服の外部に伸ばすことによって、使用者がどのような服を着ていても蛇腹部を介して外気を吸込み、衣服下に涼風を送ることができるものである。
【先行技術文献】
【特許文献】
【０００４】
【特許文献１】実用新案登録第３１０６２６３号公報（第３−４頁、第１図）
【考案の概要】
【考案が解決しようとする課題】
【０００５】
しかしながら、特許文献１の着衣内涼風装置にあっては、蛇腹部が長いため、使用者の邪魔になり、また、工場などの働く作業者が着用する作業着の下に、特許文献１の着衣内涼風装置を装着する場合には作業中に蛇腹部が機械に巻き込まれる虞がある。
【０００６】
本考案は、このような問題点に着目してなされたもので、使用者がどのような服を着ていても装着可能で、使用者の邪魔にならず、使用者の安全を確保できる衣服下送風装置を提供することを目的とする。
【課題を解決するための手段】
【０００７】
前記課題を解決するために、本考案の衣服下送風装置は、
衣服に覆われた状態で該衣服下に送風するための衣服下送風装置であって、電動送風機と、外気を吸い込むための吸込口、前記外気を吐出するための吐出口及び衣服下に装着するための装着手段を有する送風ケーシングと、を有し
前記送風ケーシングは、前記衣服を保持することによって少なくとも前記吸込口の一部の閉塞を防止する衣服保持手段を備えることを特徴としている。
この特徴によれば、送風ケーシングが備える衣服保持手段によって少なくとも吸込口の一部の閉塞を防止するので、使用者がどのような服を着ていようとも衣服下送風装置を装着でき、使用者の邪魔にならず衣服下に送風することができ、機械への巻き込みも防止できる。
【０００８】
本考案の衣服下送風装置は、
前記衣服保持手段は、前記送風ケーシングの周方向に離間して少なくとも２個配設されることを特徴としている。
この特徴によれば、少なくとも２箇所の衣服保持手段によって、衣服と送風ケーシングとの隙間をなくすことで、吐出口から吸込口への外気の逆流を防ぎ、確実に衣服下に送風することができる。
【０００９】
本考案の衣服下送風装置は、
前記衣服保持手段は、フック状部材からなることを特徴としている。
この特徴によれば、フック状部材からなる衣服保持手段によって容易に衣服を保持することができる。
【００１０】
本考案の衣服下送風装置は、
前記衣服保持手段は、帯状部材及び該帯状部材を保持する永久磁石からなることを特徴としている。
この特徴によれば、使用者がどのような服を着ていても帯状部材によって衣服を包み込んで、永久磁石によって前記帯状部材を保持できるので、少なくとも衣服下送風装置の吸込口の一部の閉塞を防止することができる。
【００１１】
本考案の衣服下送風装置は、
前記衣服保持手段は、前記送風ケーシングから着脱可能に配設されることを特徴としている。
この特徴によれば、衣服保持手段は送風ケーシングから着脱可能になっているので、衣服の種類に応じて、フック状部材又は帯状部材及び該帯状部材を保持する永久磁石からなる衣服保持手段を選択することができる。
【図面の簡単な説明】
【００１２】
【図１】実施例１に係る衣服下送風装置を使用者が装着した状態を示す図である。
【図２】本考案に係る衣服下送風装置で、（ａ）側面図、（ｂ）正面図、（ｃ）上部平面図である。
【図３】衣服下送風装置の衣服保持手段の変形例を示す図である。
【図４】実施例２に係る衣服下送風装置を示す図である。
【考案を実施するための形態】
【実施例１】
【００１３】
実施例１に係る衣服下送風装置につき、図１から図３を参照して説明する。
【００１４】
図１に示されるように、本考案の衣服下送風装置１０は使用者１のベルト２に装着した状態で、ベルト２に取付けられた給電手段４から供給される電力によって駆動され、衣服下に送風できるようになっている。衣服下送風装置１０は、主に電動送風機１１及び送風ケーシング１２から構成される。以下、給電手段４と、衣服下送風装置１０を構成する電動送風機１１及び送風ケーシング１２について説明する。
【００１５】
最初に、給電手段４について説明する。給電手段４は、繰り返して充放電可能なリチウムイオン電池等から構成され、使用者１のベルト２に装着可能に構成される。給電手段４から延設されるリード線５が後述する電動送風機１１に接続され、電動送風機に電力を供給する。給電手段４は、家庭用電源によりフル充電するとほぼ１日、衣服下送風装置１０を稼働することができる。なお、屋外で作業する作業者が着用する作業服の下に装着する場合には、作業服の一部に太陽電池を取付け、該太陽電池からの電力を給電手段に充電することによって、さらに長時間、衣服下送風装置１０を稼働することができる。
【００１６】
衣服下送風装置１０の電動送風機１１について説明する。図２に示されるように、電動送風機１１は、羽根車１１ａと該羽根車１１ａに直結され、羽根車１１ａを駆動する電動機１１ｂを主に備え、該電動機１１ｂは後述する送風ケーシング１２の被覆部１３に支持されている。電動機１１ｂは、使用者１のベルト２に装着される給電手段４から給電され、コントローラ（図示せず）によって回転数が制御されることによって、電動送風機１１から送り出される風の強さをコントロールできるようになっている。
【００１７】
送風ケーシング１２について説明する。図２に示されるように、送風ケーシング１２は、電動送風機１１の周囲を覆う被覆部１３、外気を吸い込むための吸込部１４、外気を吐出するための吐出口１５ａ、衣服下に装着するための装着手段１６及び吸込部１４の一部の閉塞を防止する衣服保持手段１７から主に構成される。
【００１８】
被覆部１３は略円筒形の中空部材で、電動送風機１１の周囲を覆い、該被覆部１３の内壁部に電動送風機１１を保持するとともに、被覆部１３の内壁部は吸込まれた外気の送風通路として機能する。また被覆部１３には、該被覆部１３から延設され外気を吸込むための吸込口１４ａを有する略円円筒形状の吸込部１４が配設されている。また吸込部１４に対向する側には、電動送風機１１から送り出された外気を衣服下に送気するため吐出口１５ａを有する吐出部１５が形成されている。吐出部１５は、略円形の被覆部１３の断面積を約半分程度に徐々に絞るように略矩形形状に形成されており、衣服下に外気を勢いよく送り出すことができるようになっている。
【００１９】
送風ケーシング１２の被覆部１３には、衣服下に装着できるように装着手段１６が設けられている。装着手段１６は、側面視下向きに開口するフック状部材からなり使用者１のベルト２や衣服の一部に装着できるようになっている。なお、装着手段１６は、送風ケーシング１２の被覆部１３と一体に構成されてもよいし、ベルトの厚さに応じたフック状部材を被覆部１３に着脱自在に構成してもよい。
【００２０】
さらに、送風ケーシング１２の被覆部１３は衣服保持手段１７を備える。衣服保持手段１７は、装着手段１６によって使用者のベルト２に装着した状態で、側面視上向きに開口するフック状部材からなり、該フック状部材と被覆部１３との間に衣服３を挟持して吸込口１４ａの一部が衣服３により閉塞されることを防止する。
【００２１】
このように構成された衣服下送風装置１０は以下のように使用される。
【００２２】
図１及び図２に示されるように、送風ケーシング１２の装着手段１６をベルト２に挿し込み、ベルト２を装着手段１６と被覆部１３との間に挟持して、衣服下送風装置１０の吐出口１５ａを上向き、吸込口１４ａを下向きになるように装着する。同じように給電手段４に設けられた装着手段によって給電手段４もベルト２に装着する。使用者１が衣服下送風装置１０を装着している状態で衣服３を着ると、衣服３によって衣服下送風装置１０は全体が覆われてしまい、吸込口１４ａは衣服によって閉塞され、衣服下送風装置１０は外気を十分取り込むことができない。
【００２３】
そこで、図１及び図２に示されるように、衣服３を衣服保持手段１７によって保持することで、衣服下送風装置１０の吸込口１４ａが衣服によって塞がれることを防止でき、衣服下送風装置１０が吸込口１４ａから外気を十分取り込むことができるようになる。この状態で、コントローラを操作することで、給電手段４から電動送風機１１に電力が供給され電動送風機１１から外気が送り出される。
【００２４】
なお、図３（ａ）に示されるように、衣服３を衣服保持手段１７によって保持しても、使用者１、衣服３及び吸込部１４の間の隙間が大きい場合には、吐出口１５ａから送り出される外気が吸込部１４へ向かう逆流Ｆ１、Ｆ２、Ｆ３が発生し、該逆流の一部が吸込口１４ａから吸込まれてしまい、吐出口１５ａから衣服下への送風される外気Ｆ４の量が、吸込口１４ａからの吸込まれる外気の量Ｆｉｎに比べ小さくなってしまう場合がある。
【００２５】
そこで、図３（ｂ）に示されるように、略円筒状の送風ケーシング１２の被覆部１３の周方向に互いに間隔を設けて３個の衣服保持手段１７を配設し、使用者１、衣服３及び吸込部１４の間の隙間を塞ぐようにして、吐出口１５ａから吸込口１４ａへの外気の逆流を防ぐことで、吐出口１５ａから衣服下への送風される外気Ｆｏｕｔの量と吸込口１４ａからの吸込まれる外気の量Ｆｉｎとをほぼ同じにすることができる。また、送風ケーシング１２の周方向に被覆部１３を３か所配設することで、衣服３を確実に保持する効果も発揮することができる。
【実施例２】
【００２６】
実施例２に係る衣服下送風装置２０につき、図４を参照して説明する。実施例２に係る衣服下送風装置２０は、衣服保持手段２７及び該衣服保持手段２７を被覆部２３に取付けるための固定手段２３ａの構成が、実施例１の衣服下送風装置１０と相違するが、その他の構成は同じため、重複する説明は省略する。
【００２７】
実施例２に係る衣服下送風装置２０の衣服保持手段２７は、帯状部材２７ｂと、該帯状部材２７ｂの一方の端部には永久磁石２７ａ、他方の端部には挟持部材２７ｃを主に備える。帯状部材２７ｂはナイロン等の合成樹脂、革、合成皮革、布等の柔軟な材料から構成されるが、衣服３を包み込んで保持できるものであれば他の材料で構成してもよい。永久磁石２７ａは帯状部材２７ｂの一方の端部の面に接着等により固定される。挟持部材２７ｃは鉄片からなり帯状部材２７ｂの他方の端部に挟持可能な挟持部材２７ｃとして構成される。そして、挟持部材２７ｃは永久磁石２７ａの磁力により磁着固定され、衣服保持手段２７は環状に一体化される。
【００２８】
衣服保持手段２７は被覆部２３につぎのように取付けられる。図４（ａ）に示されるように、衣服保持手段２７は挟持部材２７ｃを取付けない状態で、被覆部２３に設けられる固定手段２３ａの溝に挿通され、この状態で帯状部材２７ｂの端部に挟持部材２７ｃを挟持固定する。帯状部材２７ｂに挟持部材２７ｃを取付け後は、帯状部材２７ｂは固定手段２３ａの溝を通り抜けることができないので、衣服保持手段２７は被覆部２３と一体化する。
【００２９】
このように構成された衣服下送風装置２０は以下のように使用される。
【００３０】
図４（ａ）、（ｂ）に示されるように、使用者１が衣服下送風装置２０を装着している状態で衣服３を着ると、衣服３によって衣服下送風装置２０は全体が覆われてしまい、吸込口１４ａは衣服によって閉塞され、衣服下送風装置２０は外気を十分取り込むことができない。ここで、衣服３を衣服保持手段２７の帯状部材２７ｂによって包み込み、永久磁石２７ａと挟持部材２７ｃとの間に衣服３を挟み込んで磁着固定すると、衣服下送風装置２０の吸込口１４ａが衣服によって塞がれることを防止でき、衣服下送風装置２０は吸込口１４ａから外気を十分取り込むことができるようになる。帯状部材２７ｂ及び該帯状部材を保持する永久磁石２７ａからなる衣服保持手段１７は、衣服３の厚さが厚い場合であっても、帯状部材２７ｂの長さを適宜調整することで適切に衣服を保持して、衣服下送風装置２０の吸込口１４ａの閉塞を防止することができる。
【００３１】
以上、本考案の実施例を図面により説明してきたが、具体的な構成はこれら実施例に限られるものではなく、本考案の要旨を逸脱しない範囲における変更や追加があっても本考案に含まれる。
【００３２】
たとえば、実施例２の衣服下送風装置２０は帯状部材２７ｂ及び該帯状部材を保持する永久磁石２７ａからなる衣服保持手段２７を被覆部２３に１か所に設けて衣服３を保持したが、衣服保持手段２７を被覆部２３の周方向に間隔に設けて３か所配設してもよい。また、フック状部材からなる衣服保持手段１７の左右両側に、帯状部材２７ｂ及び永久磁石２７ａからなる衣服保持手段２７を２か所配設して、吐出口１５ａから吸込口１４ａへの外気の逆流を防止してもよい。逆に帯状部材２７ｂ及び永久磁石２７ａからなる衣服保持手段２７の左右両側に、フック状部材からなる衣服保持手段１７を２か所配設してもよく、フック状部材からなる衣服保持手段１７と帯状部材２７ｂ及び永久磁石２７ａからなる衣服保持手段２７の組合せは自由に選択することができる。
【００３３】
また、図４（ａ）、（ｂ）の固定手段２３ａは、帯状部材２７ｂ及び永久磁石２７ａからなる衣服保持手段２７だけでなく、フック状部材からなる衣服保持手段１７を取付け、衣服の厚さに応じたフック状部材を選択して取付けてもよい。
【符号の説明】
【００３４】
１                使用者
２                ベルト
３                衣服
４                給電手段
５                
１０              衣服下送風装置
１１              電動送風機
１３              被覆部
１４              吸込部
１４ａ            吸込口
１５              吐出部
１５ａ            吐出口
１６              装着手段
１７              衣服保持手段
２３              被覆部
２７              衣服保持手段
【図１】
0003199143.tif 000003
【図２】
0003199143.tif 000004
【図３】
0003199143.tif 000005
【図４】
0003199143.tif 000006